(57)【要約】【課題】  可変画像を違和感なく表示できる可変画像表示体及びレンチキュラー画像形成方法を提供する。【解決手段】  複数のシリンドリカルレンズが第一の方向に配列されたレンチキュラーシート１０と、前記シリンドリカルレンズの表面とは反対側の面に配置されたレンチキュラー画像２０を有する可変画像表示体１００において、レンチキュラー画像２０は、複数の画像のそれぞれについて当該複数の画像に現れる被写体画像のサイズが同一となるよう拡縮する。次いで、拡縮後の複数の画像の被写体画像中の基準部位が同位置となるよう位置調整して重ね合わせた際に所定数が重なる領域かつ被写体画像を含む領域をトリミングしてそれぞれからライン状に抽出し配列された画像列により構成される。【選択図】図４
2019028350.tif 000002
【特許請求の範囲】
【請求項１】
複数のシリンドリカルレンズが第一の方向に配列されたレンチキュラーシートと、前記シリンドリカルレンズの表面とは反対側の面に配置されたレンチキュラー画像を有する可変画像表示体において、
前記レンチキュラー画像は、
複数の画像のそれぞれについて、当該複数の画像に現れる被写体画像のサイズが同一となるよう拡縮し、
拡縮後の前記複数の画像について、当該拡縮後の複数の画像の前記被写体画像中の基準部位が同位置となるよう位置調整して重ね合わせた際に、前記拡縮後の複数の画像のうち所定数が重なる領域で、かつ、前記被写体画像を含む領域をトリミングし、
トリミングされた各前記画像からそれぞれライン状に抽出され、各前記シリンドリカルレンズのそれぞれ対応する位置に配列された表示用画像列により構成されることを特徴とする可変画像表示体。
【請求項２】
前記複数の画像に含まれる一の画像に現れる被写体画像を基準被写体画像とし、前記複数の画像に含まれる他の画像に現れる被写体画像が、前記基準被写体画像と同一サイズとなるよう、前記他の画像を拡縮することを特徴とする請求項１に記載の可変画像表示体。
【請求項３】
前記複数の画像のうち、前記被写体画像のサイズが最も大きく現れている画像を前記一の画像とすることを特徴とする請求項２に記載の可変画像表示体。
【請求項４】
前記複数の画像は移動体を連続して撮影した撮影画像であり、前記被写体画像は前記撮影画像に現れた移動体の像であって、
前記移動体の移動方向のサイズＡ１と、
前記移動体が撮影地点に最も近付いた際に撮影された撮影画像を前記一の画像とし、かつ、この際の前記移動体と前記撮影地点の直線距離Ｘ１と、
前記一の画像を撮影した際の前記移動体と前記撮影地点とを結ぶ直線と、前記他の画像を撮影した際の前記移動体と前記撮影地点とを結ぶ直線とが成す角度θ１と、
に基づいて、拡縮率を算出することを特徴とする請求項２又は３に記載の可変画像表示体。
【請求項５】
前記他の画像を前記第一の方向に式１で得られる第一の拡縮率で拡縮し、
前記他の画像を前記第一の方向と直交する第二の方向に式２で得られる第二の拡縮率で拡縮することを特徴とする請求項４に記載の可変画像表示体。
【数１】
2019028350.tif 000006
【請求項６】
複数の画像に基づいてレンチキュラー画像を形成するレンチキュラー画像形成方法において、
前記複数の画像のそれぞれについて、当該複数の画像に現れる被写体画像のサイズが同一となるよう拡縮する工程と、
拡縮後の前記複数の画像について、当該拡縮後の複数の画像の前記被写体画像中の基準部位が同位置となるよう位置調整して重ね合わせた際に、前記拡縮後の複数の画像のうち所定数が重なる領域で、かつ、前記被写体画像を含む領域をトリミングする工程と、
トリミングされた各前記画像からそれぞれライン状に抽出され、所定順に配列された画像列を形成する工程と、
を有することを特徴とするレンチキュラー画像形成方法。
【請求項７】
前記複数の画像に含まれる一の画像に現れる被写体画像を基準被写体画像とし、前記複数の画像に含まれる他の画像に現れる被写体画像が、前記基準被写体画像と同一サイズとなるよう、前記他の画像を拡縮することを特徴とする請求項６に記載のレンチキュラー画像形成方法。
【請求項８】
前記複数の画像のうち、前記被写体画像のサイズが最も大きく現れている画像を前記一の画像とすることを特徴とする請求項７に記載のレンチキュラー画像形成方法。
【請求項９】
前記複数の画像は移動体を連続して撮影した撮影画像であり、前記被写体画像は前記撮影画像に現れた移動体の像であって、
前記移動体の移動方向のサイズＡ１と、
前記移動体が撮影地点に最も近付いた際に撮影された撮影画像を前記一の画像とし、かつ、この際の前記移動体と前記撮影地点の直線距離Ｘ１と、
前記一の画像を撮影した際の前記移動体と前記撮影地点とを結ぶ直線と、前記他の画像を撮影した際の前記移動体と前記撮影地点とを結ぶ直線とが成す角度θ１と、
に基づいて、拡縮率を算出することを特徴とする請求項７又は８に記載のレンチキュラー画像形成方法。
【請求項１０】
前記他の画像を第一の方向に式１で得られる第一の拡縮率で拡縮し、
前記他の画像を前記第一の方向と直交する第二の方向に式２で得られる第二の拡縮率で拡縮することを特徴とする請求項９に記載のレンチキュラー画像形成方法。
【数１】
2019028350.tif 000007
【発明の詳細な説明】
【技術分野】
【０００１】
本発明は、複数のシリンドリカルレンズが第一の方向に配列されたレンチキュラーシートと、シリンドリカルレンズの表面とは反対側の面に配置されたレンチキュラー画像を有する可変画像表示体、及びレンチキュラー画像の形成方法に関する。
【背景技術】
【０００２】
複数のシリンドリカルレンズが並列配置されたレンチキュラーシートを用いて視認角度によって絵柄を切り替えて表示するチェンジングやムービングなどの可変画像を表示する技術がある。レンチキュラーシートには、シリンドリカルレンズのそれぞれに対応させたライン状の細分化画像を、レンチキュラーシートの各シリンドリカルレンズと反対側の面に配置させる。これにより、ユーザーがシリンドリカルレンズを介して画像を視認すると、視認される画像が見る角度を変えることにより切り替わり動画のように観察することが可能になる。
【０００３】
このようなレンチキュラーシートを用いた画像表示に関し、たとえば特許文献１には、レンチキュラーレンズに相当するレンチキュラーシートと複数の画像を用いて合成されたサンプリング画像とからなる立体、アニメーション、或いはチェンジング画像表示方式において、画像配列に画像変化の無い部分を抽出した画像を組み込み配列したことで、観察時のクロストークを軽減し、鮮明なチェンジングを行う技術が開示されている。
【先行技術文献】
【特許文献】
【０００４】
【特許文献１】特開２０００−９８９４８号公報
【発明の概要】
【発明が解決しようとする課題】
【０００５】
例えば、移動している電車や車を連続撮影した画像を用いて、可変画像表示を楽しみたい場合がある。この場合、大きく分けて４つの方法がある。
【０００６】
第一の方法は、背景は単独（静止）画像を用いて固定し、当該固定された背景画像上で被写体像を動かす方法である。この場合、被写体像は単独画像を左右に動かしてもよいし、複数の画像を合成してもよい。しかし、この方法では、背景に変化がなく、合成画像であることがわかりやすく臨場感はない。被写体が移動するため、車輪の回転の様子や汽車の煙など被写体の細部の再現が困難だという問題がある。
【０００７】
第二の方法は、複数画像を用いて背景を合成して生成し、生成された合成背景画像を固定して、この上で被写体像を動かす方法である。具体的には、背景の移動が無いように位置を合わせて背景の合成画像を生成固定する。そしてこの上で被写体の画像を動かす。被写体像は固定画像（静止画合成）でも複数画像の合成でもよい。この方法では、被写体が左右に移動するため被写体が移動していることは表現できるが、やはり、被写体が移動するため、車輪の回転の様子や汽車の煙など被写体の細部の再現が困難だという問題がある。
【０００８】
第三の方法は、単独の被写体画像を固定し、背景のほうを動かす方法である。この方法によれば、被写体をシャープに再現できるが、車輪の回転の様子や汽車の煙など被写体の細部の変化がないため、面白みに欠ける。
【０００９】
第四の方法は、複数画像を用いて被写体像を固定して合成する。つまり、被写体像を固定し、背景と被写体共に複数画像を合成する方法である。この方法によれば、被写体をシャープにくっきりと見せながら、動きに伴う車輪の回転の様子や汽車の煙など被写体の細部を再現でき、臨場感を出す事ができるという利点がある。しかし、撮影時におけるカメラと被写体の距離の変化に伴って、被写体の大きさが撮影画像ごとに違って写る。そして、このような撮影画像を使用して、被写体の合成画像を生成し固定し、背景の合成画像だけが動くように画像を設計して可変表示用のレンチキュラー画像を作成すると被写体の大きさの変化が目立つ。例えば、可変画像表示において左から右へ動画のように移動する電車や車が、左から右へと移動する間に、電車や車の大きさが伸びたり縮んだり変化するように見えてしまい、違和感がある。
【００１０】
本発明の目的は、上記第四の方法における問題等に鑑みて、可変画像を違和感なく表示できる可変画像表示体及びレンチキュラー画像形成方法を提供することにある。
【課題を解決するための手段】
【００１１】
本発明の可変画像表示体は、複数のシリンドリカルレンズが第一の方向に配列されたレンチキュラーシートと、前記シリンドリカルレンズの表面とは反対側の面に配置されたレンチキュラー画像を有する可変画像表示体において、前記レンチキュラー画像は、複数の画像のそれぞれについて、当該複数の画像に現れる被写体画像のサイズが同一となるよう拡縮し、拡縮後の前記複数の画像について、当該拡縮後の複数の画像の前記被写体画像中の基準部位が同位置となるよう位置調整して重ね合わせた際に、前記拡縮後の複数の画像のうち所定数が重なる領域で、かつ、前記被写体画像を含む領域をトリミングし、トリミングされた各前記画像からそれぞれライン状に抽出され、各前記シリンドリカルレンズのそれぞれ対応する位置に配列された表示用画像列により構成されることを特徴とする。
【００１２】
前記複数の画像に含まれる一の画像に現れる被写体画像を基準被写体画像とし、前記複数の画像に含まれる他の画像に現れる被写体画像が、前記基準被写体画像と同一サイズとなるよう、前記他の画像を拡縮するよう構成してもよい。
【００１３】
前記複数の画像のうち、前記被写体画像のサイズが最も大きく現れている画像を前記一の画像とするよう構成してもよい。
【００１４】
前記複数の画像は移動体を連続して撮影した撮影画像であり、前記被写体画像は前記撮影画像に現れた移動体の像であって、前記移動体の移動方向のサイズＡ１と、前記移動体が撮影地点に最も近付いた際に撮影された撮影画像を前記一の画像とし、かつ、この際の前記移動体と前記撮影地点の直線距離Ｘ１と、前記一の画像を撮影した際の前記移動体と前記撮影地点とを結ぶ直線と、前記他の画像を撮影した際の前記移動体と前記撮影地点とを結ぶ直線とが成す角度θ１と、に基づいて、拡縮率を算出するよう構成してもよい。
【００１５】
前記他の画像を前記第一の方向に式１で得られる第一の拡縮率で拡縮し、前記他の画像を前記第一の方向と直交する第二の方向に式２で得られる第二の拡縮率で拡縮するよう構成してもよい。
【数１】
2019028350.tif 000003
【００１６】
本発明のレンチキュラー画像形成方法は、複数の画像に基づいてレンチキュラー画像を形成するレンチキュラー画像形成方法において、前記複数の画像のそれぞれについて、当該複数の画像に現れる被写体画像のサイズが同一となるよう拡縮する工程と、拡縮後の前記複数の画像について、当該拡縮後の複数の画像の前記被写体画像中の基準部位が同位置となるよう位置調整して重ね合わせた際に、前記拡縮後の複数の画像のうち所定数が重なる領域で、かつ、前記被写体画像を含む領域をトリミングする工程と、トリミングされた各前記画像からそれぞれライン状に抽出され、所定順に配列された画像列を形成する工程と、を有することを特徴とするよう構成してもよい。
【００１７】
前記複数の画像に含まれる一の画像に現れる被写体画像を基準被写体画像とし、前記複数の画像に含まれる他の画像に現れる被写体画像が、前記基準被写体画像と同一サイズとなるよう、前記他の画像を拡縮するよう構成してもよい。
【００１８】
前記複数の画像のうち、前記被写体画像のサイズが最も大きく現れている画像を前記一の画像とするよう構成してもよい。
【００１９】
前記複数の画像は移動体を連続して撮影した撮影画像であり、前記被写体画像は前記撮影画像に現れた移動体の像であって、前記移動体の移動方向のサイズＡ１と、前記移動体が撮影地点に最も近付いた際に撮影された撮影画像を前記一の画像とし、かつ、この際の前記移動体と前記撮影地点の直線距離Ｘ１と、前記一の画像を撮影した際の前記移動体と前記撮影地点とを結ぶ直線と、前記他の画像を撮影した際の前記移動体と前記撮影地点とを結ぶ直線とが成す角度θ１と、に基づいて、拡縮率を算出するよう構成してもよい。
【００２０】
前記他の画像を第一の方向に式１で得られる第一の拡縮率で拡縮し、前記他の画像を前記第一の方向と直交する第二の方向に式２で得られる第二の拡縮率で拡縮するよう構成してもよい。
【数１】
2019028350.tif 000004
【発明の効果】
【００２１】
本発明の可変画像表示体によれば、違和感のない可変画像を表示できる。
本発明のレンチキュラー画像形成方法によれば、違和感のない可変画像を表示可能なレンチキュラー画像を実現できる。
【図面の簡単な説明】
【００２２】
【図１】本発明の可変画像表示体の一例を示す概略図である。
【図２】本発明の可変画像表示体の他の例を示す概略図である。
【図３】撮影画像の一例を示す説明図である。
【図４】基準被写体画像の一例を示す説明図である。
【図５】拡縮後の撮影画像の一例を示す説明図である。
【図６】拡縮後の撮影画像に対するトリミングの説明図である。
【図７】トリミング後の撮影画像の一例を示す説明図である。
【図８】トリミング後の撮影画像から作成された表示用画像列とレンチキュラー画像の一例を示す説明図である。
【図９】表示用画像列に基づいて形成したレンチキュラー画像の一例を示す拡大概略図である。
【図１０】レンチキュラー画像が配置された可変画像表示体の一例を示す説明図である。
【図１１】図１０に示すレンチキュラー画像を示す概略平面図である。
【図１２】撮影パラメータに基づいて算出される拡縮率の算出方法の説明図である。
【発明を実施するための形態】
【００２３】
本発明の実施形態について、図面を参照して説明する。ただし、以下に説明する実施形態は、あくまでも例示であり、以下に明示しない種々の変形や技術の適用を排除する意図はない。即ち、本発明は、その効果を奏する限りにおいて種々変形(各実施例を組み合わせる等)して実施することができる。また、以下の図面の記載において、同一又は類似の部分には同一又は類似の符号を付して表している。図面は模式的なものであり、必ずしも実際の寸法や比率等とは一致しない。図面相互間においても互いの寸法の関係や比率が異なる部分が含まれていることがある。
【００２４】
図１は、本発明の可変画像表示体の一例を示す概略図、図２は、本発明の可変画像表示体の他の例を示す概略図である。
本発明の可変画像表示体１００は、図１、２に示すように、半円筒形状のシリンドリカルレンズが並列配置されたレンチキュラーシート１０と、レンチキュラー画像２０により構成される。レンチキュラー画像２０は、シリンドリカルレンズの表面とは反対側の面に配置されていればよい。
また、可変画像表示体１００は、例えば、図２に示すような画像形成媒体３０にレンチキュラー画像２０を形成し、これをレンチキュラーシート１０と重ね合わせて構成してもよい。画像形成媒体３０は、例えば、紙、木板、フィルム、金属等である。
【００２５】
本実施形態では、本発明の画像の一例として、例えば、汽車等の被写体を連続して複数枚撮影した撮影画像を元画像とし、元画像を本発明の画像の一例として説明する。
【００２６】
図３は、撮影画像の一例を示す説明図である。図４は、基準被写体画像の一例を示す説明図である。図５は、拡縮後の撮影画像の一例を示す説明図である。図６は、拡縮後の撮影画像に対するトリミングの説明図である。図７は、トリミング後の撮影画像の一例を示す説明図である。図８は、トリミング後の撮影画像から作成された表示用画像列とレンチキュラー画像の一例を示す説明図である。
【００２７】
本実施形態による可変画像表示体１００は、複数のシリンドリカルレンズが第一の方向に配列されたレンチキュラーシート１０と、シリンドリカルレンズの表面とは反対側の面に配置されたレンチキュラー画像２０を有する可変画像表示体１００である。レンチキュラー画像２０は、複数の画像の一例である撮影画像２０(i)、２０(ii)、２０(iii)、２０(iv)(以下、撮影画像２０(i)、２０(ii)、２０(iii)、２０(iv)を、「撮影画像２０(i)〜２０(iv)」と言う場合がある。)のそれぞれについて、当該複数の撮影画像２０(i)〜２０(iv)に現れる被写体画像２１のサイズが同一となるよう、各複数の撮影画像２０(i)〜２０(iv)を拡縮し、拡縮後の撮影画像２０(i)'、２０(ii)'、２０(iii)'、２０(iv)'(以下、「拡縮後の撮影画像２０(i)'、２０(ii)'、２０(iii)'、２０(iv)'」を、「拡縮後の撮影画像２０(i)’〜２０(iv)’」と言う場合がある。)について、当該拡縮後の複数の撮影画像２０(i)’〜２０(iv)'の被写体画像中の基準部位２１ａが同位置となるよう位置調整して重ね合わせた際に、拡縮後の複数の撮影画像２０(i)'〜２０(iv)'のうち所定数が重なる領域で、かつ、被写体画像を含む領域をトリミングし、トリミングされた各画像からそれぞれライン状に抽出され、各シリンドリカルレンズのそれぞれ対応する位置に配列された表示用画像列２０(i)''ａ、２０(i)''ｂ、２０(i)''ｃ、２０(i)''ｄ、…、２０(iv)''ｆ、２０(iv)''ｇ、２０(iv)''hにより構成される。
【００２８】
なお、図において、構成を理解し易くするために撮影画像２０(i)〜２０(iv)の数、レンチキュラーシートのシリンドリカルレンズの数は省略して図示している。さらに、実際の撮影画像には後述する「被写体画像２１」のみならず背景も写っているが、図示を省略している。
【００２９】
図３に示すように、移動する汽車を被写体として連続して複数枚撮影した撮影画像２０i〜２０iｖを可変画像の元画像として説明する。撮影画像２０i〜２０iｖに複数の被写体が写っている場合、任意の被写体の画像を被写体画像２１とする。ここで、「被写体画像」とは、後述する撮影画像の拡縮処理において基準となる画像である。好ましくは、撮影画像２０i〜２０iｖ中、動きを違和感なく鮮明に見せることを所望する被写体の画像を被写体画像２１とする。被写体画像２１は、元画像である撮影画像２０i〜２０iｖの其々でサイズが異なる。図３は、撮影画像２０i〜２０iｖ中、汽車の画像を被写体画像２１とした例である。
【００３０】
そして、撮影画像２０(i)〜２０(iv)に現れる被写体画像２１のサイズが同一となるよう、撮影画像２０(i)〜２０(iv)を拡大又は縮小（拡縮）する。図５に拡縮後の撮影画像２０(i)’〜２０(iv)’の例を示す。図５のように、拡縮後の撮影画像２０(i)’〜２０(iv)’中に現れる被写体画像２１のサイズは同一である。
【００３１】
撮影画像２０(i)〜２０(iv)の拡縮方法は、被写体画像２１のサイズが同一となればどのような方法であってもよい。例えば、撮影画像２０(i)〜２０(iv)のうち、任意の撮影画像（本発明の一の画像の一例）に現れる被写体画像を基準被写体画像とし、任意の撮影画像（一の撮影画像）以外の他の撮影画像（本発明の他の画像の一例）に現れる被写体画像が、上記基準被写体画像と同一サイズとなるよう、他の撮影画像を拡縮するよう構成してもよい。
【００３２】
特に、被写体画像のサイズが最も大きく現れている撮影画像を任意の撮影画像（一の撮影画像）とすることが好ましい。
図３の例では、撮影画像２０(iv)に現れる被写体画像２１が最も大きなサイズで現れているため、撮影画像２０(iv)中の被写体画像２１を基準被写体画像とし、他の撮影画像２０(i)、２０(ii)、２０(iii)を拡大した（図５）。
【００３３】
具体的には、図４に示すように、撮影画像２０(iv)中の被写体画像２１について、レンチキュラーシートに配列されるシリンドリカルレンズの配列方向と同じ方向である第一の方向のサイズＸ、当該第一の方向と直交する方向である第二の方向のサイズＹを測定する。測定結果に基づいて、他の撮影画像２０(i)、２０(ii)、２０(iii)中に現れる被写体画像２１の第二の方向のサイズがＹ、第一の方向のサイズがＸとなるよう、他の撮影画像２０(i)、２０(ii)、２０(iii)を拡大する。
【００３４】
なお、本実施形態の例では、第一の方向（図４中、縦方向）が、撮影画像と重ね合される際のレンチキュラーシートのシリンドリカルレンズの配列方向に相当する。
【００３５】
次に、拡縮後の撮影画像２０(i)'〜２０(iv)'について、被写体画像２１が重なるよう重ね合わせてトリミングする。
具体的には、被写体画像２１中に基準部位２１ａを定め当該基準部位２１ａが同位置となるよう位置調整して重ね合わせる。図５及び図６の例では、被写体画像である汽車の像のうち、汽車の煙突の先端を基準部位２１ａとして位置合わせを行った（図５及び図６中の星印部分）。
【００３６】
位置合わせの後、撮影画像２０(i)'〜２０(iv)'のうち所定数が重なる領域で、かつ、被写体画像２１を含む領域でトリミングする。図６の例では、撮影画像２０(i)'〜２０(iv)'の全てが重なる領域をトリミングした。トリミング後の撮影画像２０(i)''、２０(ii)''、２０(iii)''、２０(iv)''を図７に示す。以下、トリミング後の撮影画像２０(i)''、２０(ii)''、２０(iii)''、２０(iv)''を、「トリミング後の撮影画像２０(i)''〜２０(iv)''」と言う場合がある。
【００３７】
なお、図６のように全てが重なる領域をトリミングしてもよく、或いは、完成される可変画像表示に与える影響等を鑑みてトリミング領域を決定すればよい。即ち、全ての撮影画像２０(i)'〜２０(iv)'が重なっていなくても、完成される可変画像表示に必須と考える所定数の撮影画像が重なっていればよい。
【００３８】
トリミング後の撮影画像２０(i)''〜２０(iv)''から画像列を抽出してレンチキュラー画像２０を形成する。なお、撮影画像２０(i)''〜２０(iv)''から画像列を抽出してレンチキュラー画像２０を形成する工程は、従来公知のレンチキュラー画像の形成方法と同様であるためここでは簡単な説明に留める。
【００３９】
先ず、図８に示すように撮影画像２０(i)''〜２０(iv)''をそれぞれライン状に抽出し、所定順に配列して画像列を形成する。図８に示す例ではシリンドリカルレンズの対応する位置に表示用画像列として配列される。
具体的には、撮影画像２０(i)''から、表示用画像列２０(i)''ａ、２０(i)''ｂ、２０(i)''ｃ、２０(i)''ｄ、２０(i)''ｅ、２０(i)''ｆ、２０(i)''ｇ、２０(i)''ｈを抽出する。
撮影画像２０(ii)''から、表示用画像列２０(ii)''ａ、２０(ii)''ｂ、２０(ii)''ｃ、２０(ii)''ｄ、２０(ii)''ｅ、２０(ii)''ｆ、２０(ii)''ｇ、２０(ii)''ｈを抽出する。同様に、撮影画像２０(iii)''からも表示用画像列２０(iii)''ａ〜２０(iii)''ｈが抽出され、撮影画像２０(iv)''からも表示用画像列２０(iv)''ａ〜２０(iv)''ｈが抽出される。
【００４０】
そして、抽出された表示用画像列を各シリンドリカルレンズに対応するよう配列させ、レンチキュラー画像２０（２０ａ、２０ｂ、２０ｃ、２０ｄ、２０ｅ、２０ｆ、２０ｇ、２０ｈ）(以下、「レンチキュラー画像２０（２０ａ、２０ｂ、２０ｃ、２０ｄ、２０ｅ、２０ｆ、２０ｇ、２０ｈ）」を、「レンチキュラー画像２０（２０ａ〜２０ｈ）」と言う場合がある。) を形成する。
【００４１】
図９は、表示用画像列に基づいて形成したレンチキュラー画像の一例を示す拡大概略図である。図１０は、レンチキュラー画像２０（２０ａ〜２０ｈ）が配置された可変画像表示体１００の一例を示す説明図である。図１１は、図１０に示すレンチキュラー画像２０（２０ａ〜２０ｈ）を示す概略平面図である。
【００４２】
図９乃至図１１に示すように、ｎ番目のシリンドリカルレンズに対応した位置には、撮影画像２０(i)''から抽出された表示用画像列２０(i)''ａと、撮影画像２０(ii)''から抽出された表示用画像列２０(ii)''ａと、撮影画像２０(iii)''から抽出された表示用画像列２０(iii)''ａと、撮影画像２０(iv)''から抽出された表示用画像列２０(iv)''ａが配置され、レンチキュラー画像２０ａを形成している。また、（ｎ＋１）番目のシリンドリカルレンズに対応した位置には、撮影画像２０(i)''から抽出された表示用画像列２０(i)''ｂと、撮影画像２０(ii)''から抽出された表示用画像列２０(ii)''ｂと、撮影画像２０(iii)''から抽出された表示用画像列２０(iii)''ｂと、撮影画像２０(iv)''から抽出された表示用画像列２０(iv)''ｂが配置され、レンチキュラー画像２０ｂを形成している。他のシリンドリカルレンズ下でも同様に画像列が配列されてレンチキュラー画像２０形成している。
【００４３】
このような画像列群によって形成されたレンチキュラー画像２０をレンズ側（図１１中左側）から観察した場合、観察する角度によって、撮影画像２０(i)''〜撮影画像２０(iv)''の何れかのみが表示され、角度を変えることで見える画像が変わり動画のように見える。
【００４４】
以上説明したように、本実施形態の可変画像表示体によれば、各撮影画像に現れる撮影対象（被写体）の画像である被写体画像のサイズを同一化した後にレンチキュラー画像を形成したので、被写体が電車や車等の移動体であっても、被写体のサイズの変化がなく、違和感のない可変画像を表示できる。撮影画像に現れる被写体画像を使用するので、撮影画像毎に被写体画像に変化がある場合にも、この変化を逃すことなく表現できる。
【００４５】
上述した手法では、撮影画像２０(i)〜２０(iv)中の被写体画像２１の第一の方向のサイズＹ、当該第一の方向と直交する方向である第二の方向のサイズＸを測定し、この測定結果に基づいて撮影画像２０(i)〜２０(iv)を拡縮したが、撮影条件から拡縮率を算出してもよい。
【００４６】
例えば、撮影画像が、上記実施形態の如く移動体を連続して撮影した撮影画像である場合について説明する。すなわち、移動体Ａと撮影地点Ｃが最も近付いたときの直線距離をＸ１とし、この際に撮影された撮影画像を上記一の画像とする。そして、上記他の画像が撮影された際の移動体Ａと撮影地点Ｃの直線距離Ｘ２と上記直線距離Ｘ１とが成す角をθ１とする。そして、移動体Ａの移動方向のサイズＡ１がわかれば、これら直線距離Ｘ１、成す角θ１、サイズＡ１を撮影パラメータとし、当該撮影パラメータに基づいて、上記他の画像の拡縮率を算出することができる。
【００４７】
図１２は、撮影パラメータに基づいて算出される拡縮率の算出方法の一例を示す説明図である。
移動体Ａの移動方向のサイズをＡ１、移動体Ａが撮影地点Ｃと最も近付いた地点をＰｏｉｎｔＰ（１）、地点ＰｏｉｎｔＰ（１）で移動体Ａを撮影した際の移動体Ａと撮影地点Ｃの直線距離をＸ１、移動体Ａが地点ＰｏｉｎｔＰ（２）で撮影された際の移動体Ａと撮影地点Ｃの直線距離をＸ２、直線Ｘ１と直線Ｘ２との成す角をθ１とする。
【００４８】
予め移動体ＡのサイズＡ１、移動体Ａが撮影地点Ｃと最も近付いた地点ＰｏｉｎｔＰ（１）の直線Ｘ１、直線Ｘ１と直線Ｘ２との成す角θ１を取得しておく。そして、これら既知の撮影パラメータであるサイズＡ１、直線Ｘ１、角θ１に基づいて、地点ＰｏｉｎｔＰ（１）で撮影した際の撮影画像を一の撮影画像とし、地点ＰｏｉｎｔＰ（２）で撮影した際の撮影画像を他の撮影画像として、当該他の画像を拡縮する際の拡縮率を求めることができる。
【００４９】
具体的には、地点ＰｏｉｎｔＰ（２）で撮影した際の撮影画像（他の画像）を第一の方向に下記の式１で得られる第一の拡縮率で拡縮し、かつ、第一の方向と直交する第二の方向に下記の式２で得られる第二の拡縮率で拡縮する。第一の方向は、移動体Ａの移動方向に直交する方向であり、第二の方向は、移動体Ａの移動方向である。
【数１】
2019028350.tif 000005
【００５０】
なお、本実施形態の例では、第二の方向が移動体の移動方向である（図１２中、横方向）。そして、第二の方向に直交する第一の方向（図１２中、縦方向）が、撮影画像と重ね合される際のレンチキュラーシートのシリンドリカルレンズの配列方向に相当する。
【００５１】
以上説明したように、撮影パラメータとして、移動体ＡのサイズＡ１、移動体Ａが撮影地点Ｃと最も近付いた地点ＰｏｉｎｔＰ（１）の直線Ｘ１、直線Ｘ１と直線Ｘ２との成す角θ１をあらかじめ計測して取得しておき、これらの撮影パラメータを用いて他の撮影画像の拡縮率を得ることができる。
【００５２】
得られた拡縮率により他の撮影画像を拡縮し、上述した手法により被写体画像（ここでは移動体Ａの像）で重ね合わせ、トリミングを行ない、レンチキュラー画像を得る。これにより、各撮影画像に現れる被写体画像のサイズを同一化した後にレンチキュラー画像を形成することができ、被写体が電車や車等の移動体であっても、被写体のサイズの変化がなく、違和感のない可変画像を表示できる。撮影画像に現れる被写体画像を使用するので、撮影画像毎に被写体画像に変化がある場合にも、この変化を逃すことなく表現できる。
【００５３】
本発明の適用範囲は上記実施形態に限定されることはない。本発明は、被写体が電車や車等の移動体であっても違和感のない可変画像を表示できる可変画像表示体及びレンチキュラー画像形成方法に対し、広く適用することができる。
【符号の説明】
【００５４】
１００・・・可変画像表示体
１０・・・レンチキュラーシート
２０（２０ａ、２０ｂ、２０ｃ、２０ｄ、２０ｅ、２０ｆ、２０ｇ、２０ｈ）・・・レンチキュラー画像
２１・・・被写体画像
２１ａ・・・基準部位
２０(i)、２０(ii)、２０(iii)、２０(iv)・・・撮影画像  （画像）
２０(i)'、２０(ii)'、２０(iii)'、２０(iv)'・・・拡縮後の撮影画像
２０(i)''、２０(ii)''、２０(iii)''、２０(iv)''・・・トリミング後の撮影画像
【図１】
2019028350.tif 000008
【図２】
2019028350.tif 000009
【図３】
2019028350.tif 000010
【図４】
2019028350.tif 000011
【図５】
2019028350.tif 000012
【図６】
2019028350.tif 000013
【図７】
2019028350.tif 000014
【図８】
2019028350.tif 000015
【図９】
2019028350.tif 000016
【図１０】
2019028350.tif 000017
【図１１】
2019028350.tif 000018
【図１２】
2019028350.tif 000019
【手続補正書】
【提出日】平成29年10月17日(2017.10.17)
【手続補正１】
【補正対象書類名】特許請求の範囲
【補正対象項目名】全文
【補正方法】変更
【補正の内容】
【特許請求の範囲】
【請求項１】
複数のシリンドリカルレンズが第一の方向に配列されたレンチキュラーシートと、前記シリンドリカルレンズの表面とは反対側の面に配置されたレンチキュラー画像を有する可変画像表示体において、
前記レンチキュラー画像の元画像は、移動体を被写体として連続して撮影した複数の撮影画像であって、かつ、当該複数の撮影画像に現れる前記移動体の像である被写体画像が、少なくとも前記第一の方向へ移動している前記複数の撮影画像であって、
前記レンチキュラー画像は、
前記複数の撮影画像のそれぞれについて、当該複数の撮影画像に現れる前記被写体画像のサイズが同一となるよう拡縮し、
拡縮後の前記複数の撮影画像について、当該拡縮後の複数の撮影画像の前記被写体画像中の基準部位が同位置となるよう位置調整して重ね合わせた際に、前記拡縮後の複数の撮影画像のうち所定数が重なる領域で、かつ、前記被写体画像を含む領域をトリミングし、
トリミングされた各前記撮影画像からそれぞれライン状に抽出され、各前記シリンドリカルレンズのそれぞれ対応する位置に配列された表示用画像列により構成されることを特徴とする可変画像表示体。
【請求項２】
前記複数の撮影画像に含まれる一の撮影画像に現れる被写体画像を基準被写体画像とし、前記複数の撮影画像に含まれる他の撮影画像に現れる被写体画像が、前記基準被写体画像と同一サイズとなるよう、前記他の撮影画像を拡縮することを特徴とする請求項１に記載の可変画像表示体。
【請求項３】
前記複数の撮影画像のうち、前記被写体画像のサイズが最も大きく現れている撮影画像を前記一の撮影画像とすることを特徴とする請求項２に記載の可変画像表示体。
【請求項４】
前記移動体の移動方向のサイズＡ１と、
前記移動体が撮影地点に最も近付いた際に撮影された撮影画像を前記一の撮影画像とし、かつ、この際の前記移動体と前記撮影地点の直線距離Ｘ１と、
前記一の撮影画像を撮影した際の前記移動体と前記撮影地点とを結ぶ直線と、前記他の撮影画像を撮影した際の前記移動体と前記撮影地点とを結ぶ直線とが成す角度θ１と、
に基づいて、拡縮率を算出することを特徴とする請求項２又は３に記載の可変画像表示体。
【請求項５】
前記他の撮影画像を前記第一の方向に式１で得られる第一の拡縮率で拡縮し、
前記他の撮影画像を前記第一の方向と直交する第二の方向に式２で得られる第二の拡縮率で拡縮することを特徴とする請求項４に記載の可変画像表示体。
【数１】
2019028350.tif 000020
【請求項６】
複数のシリンドリカルレンズを第一の方向に配列して成るレンチキュラーシートと作用して可変画像を表示するレンチキュラー画像を形成するレンチキュラー画像形成方法において、
前記レンチキュラー画像の元画像は、移動体を被写体として連続して撮影した複数の撮影画像であって、かつ、当該複数の撮影画像に現れる前記移動体の像である被写体画像が、少なくとも前記第一の方向へ移動している前記複数の撮影画像であって、
前記複数の撮影画像のそれぞれについて、当該複数の撮影画像に現れる前記被写体画像のサイズが同一となるよう拡縮する工程と、
拡縮後の前記複数の撮影画像について、当該拡縮後の複数の撮影画像の前記被写体画像中の基準部位が同位置となるよう位置調整して重ね合わせた際に、前記拡縮後の複数の撮影画像のうち所定数が重なる領域で、かつ、前記被写体画像を含む領域をトリミングする工程と、
トリミングされた各前記撮影画像からそれぞれライン状に抽出され、所定順に配列された画像列を形成する工程と、
を有することを特徴とするレンチキュラー画像形成方法。
【請求項７】
前記複数の撮影画像に含まれる一の撮影画像に現れる被写体画像を基準被写体画像とし、前記複数の撮影画像に含まれる他の撮影画像に現れる被写体画像が、前記基準被写体画像と同一サイズとなるよう、前記他の撮影画像を拡縮することを特徴とする請求項６に記載のレンチキュラー画像形成方法。
【請求項８】
前記複数の撮影画像のうち、前記被写体画像のサイズが最も大きく現れている撮影画像を前記一の撮影画像とすることを特徴とする請求項７に記載のレンチキュラー画像形成方法。
【請求項９】
前記移動体の移動方向のサイズＡ１と、
前記移動体が撮影地点に最も近付いた際に撮影された撮影画像を前記一の撮影画像とし、かつ、この際の前記移動体と前記撮影地点の直線距離Ｘ１と、
前記一の撮影画像を撮影した際の前記移動体と前記撮影地点とを結ぶ直線と、前記他の撮影画像を撮影した際の前記移動体と前記撮影地点とを結ぶ直線とが成す角度θ１と、
に基づいて、拡縮率を算出することを特徴とする請求項７又は８に記載のレンチキュラー画像形成方法。
【請求項１０】
前記他の撮影画像を第一の方向に式１で得られる第一の拡縮率で拡縮し、
前記他の撮影画像を前記第一の方向と直交する第二の方向に式２で得られる第二の拡縮率で拡縮することを特徴とする請求項９に記載のレンチキュラー画像形成方法。
【数１】
2019028350.tif 000021
【手続補正２】
【補正対象書類名】明細書
【補正対象項目名】００１１
【補正方法】変更
【補正の内容】
【００１１】
本発明の可変画像表示体は、複数のシリンドリカルレンズが第一の方向に配列されたレンチキュラーシートと、前記シリンドリカルレンズの表面とは反対側の面に配置されたレンチキュラー画像を有する可変画像表示体において、前記レンチキュラー画像の元画像は、移動体を被写体として連続して撮影した複数の撮影画像であって、かつ、当該複数の撮影画像に現れる前記移動体の像である被写体画像が、少なくとも前記第一の方向へ移動している前記複数の撮影画像であって、前記レンチキュラー画像は、前記複数の撮影画像のそれぞれについて、当該複数の撮影画像に現れる前記被写体画像のサイズが同一となるよう拡縮し、拡縮後の前記複数の撮影画像について、当該拡縮後の複数の撮影画像の前記被写体画像中の基準部位が同位置となるよう位置調整して重ね合わせた際に、前記拡縮後の複数の撮影画像のうち所定数が重なる領域で、かつ、前記被写体画像を含む領域をトリミングし、トリミングされた各前記撮影画像からそれぞれライン状に抽出され、各前記シリンドリカルレンズのそれぞれ対応する位置に配列された表示用画像列により構成されることを特徴とする。
【手続補正３】
【補正対象書類名】明細書
【補正対象項目名】００１２
【補正方法】変更
【補正の内容】
【００１２】
前記複数の撮影画像に含まれる一の撮影画像に現れる被写体画像を基準被写体画像とし、前記複数の撮影画像に含まれる他の撮影画像に現れる被写体画像が、前記基準被写体画像と同一サイズとなるよう、前記他の撮影画像を拡縮するよう構成してもよい。
【手続補正４】
【補正対象書類名】明細書
【補正対象項目名】００１３
【補正方法】変更
【補正の内容】
【００１３】
前記複数の撮影画像のうち、前記被写体画像のサイズが最も大きく現れている撮影画像を前記一の撮影画像とするよう構成してもよい。
【手続補正５】
【補正対象書類名】明細書
【補正対象項目名】００１４
【補正方法】変更
【補正の内容】
【００１４】
前記移動体の移動方向のサイズＡ１と、前記移動体が撮影地点に最も近付いた際に撮影された撮影画像を前記一の撮影画像とし、かつ、この際の前記移動体と前記撮影地点の直線距離Ｘ１と、前記一の撮影画像を撮影した際の前記移動体と前記撮影地点とを結ぶ直線と、前記他の撮影画像を撮影した際の前記移動体と前記撮影地点とを結ぶ直線とが成す角度θ１と、に基づいて、拡縮率を算出するよう構成してもよい。
【手続補正６】
【補正対象書類名】明細書
【補正対象項目名】００１５
【補正方法】変更
【補正の内容】
【００１５】
前記他の撮影画像を前記第一の方向に式１で得られる第一の拡縮率で拡縮し、前記他の撮影画像を前記第一の方向と直交する第二の方向に式２で得られる第二の拡縮率で拡縮するよう構成してもよい。
【数１】
2019028350.tif 000022
【手続補正７】
【補正対象書類名】明細書
【補正対象項目名】００１６
【補正方法】変更
【補正の内容】
【００１６】
本発明のレンチキュラー画像形成方法は、複数のシリンドリカルレンズを第一の方向に配列して成るレンチキュラーシートと作用して可変画像を表示するレンチキュラー画像を形成するレンチキュラー画像形成方法において、前記レンチキュラー画像の元画像は、移動体を被写体として連続して撮影した複数の撮影画像であって、かつ、当該複数の撮影画像に現れる前記移動体の像である被写体画像が、少なくとも前記第一の方向へ移動している前記複数の撮影画像であって、前記複数の撮影画像のそれぞれについて、当該複数の撮影画像に現れる前記被写体画像のサイズが同一となるよう拡縮する工程と、拡縮後の前記複数の撮影画像について、当該拡縮後の複数の撮影画像の前記被写体画像中の基準部位が同位置となるよう位置調整して重ね合わせた際に、前記拡縮後の複数の撮影画像のうち所定数が重なる領域で、かつ、前記被写体画像を含む領域をトリミングする工程と、トリミングされた各前記撮影画像からそれぞれライン状に抽出され、所定順に配列された画像列を形成する工程と、を有することを特徴とするよう構成してもよい。
【手続補正８】
【補正対象書類名】明細書
【補正対象項目名】００１７
【補正方法】変更
【補正の内容】
【００１７】
前記複数の撮影画像に含まれる一の撮影画像に現れる被写体画像を基準被写体画像とし、前記複数の撮影画像に含まれる他の撮影画像に現れる被写体画像が、前記基準被写体画像と同一サイズとなるよう、前記他の撮影画像を拡縮するよう構成してもよい。
【手続補正９】
【補正対象書類名】明細書
【補正対象項目名】００１８
【補正方法】変更
【補正の内容】
【００１８】
前記複数の撮影画像のうち、前記被写体画像のサイズが最も大きく現れている撮影画像を前記一の撮影画像とするよう構成してもよい。
【手続補正１０】
【補正対象書類名】明細書
【補正対象項目名】００１９
【補正方法】変更
【補正の内容】
【００１９】
前記移動体の移動方向のサイズＡ１と、前記移動体が撮影地点に最も近付いた際に撮影された撮影画像を前記一の撮影画像とし、かつ、この際の前記移動体と前記撮影地点の直線距離Ｘ１と、前記一の撮影画像を撮影した際の前記移動体と前記撮影地点とを結ぶ直線と、前記他の撮影画像を撮影した際の前記移動体と前記撮影地点とを結ぶ直線とが成す角度θ１と、に基づいて、拡縮率を算出するよう構成してもよい。
【手続補正１１】
【補正対象書類名】明細書
【補正対象項目名】００２０
【補正方法】変更
【補正の内容】
【００２０】
前記他の撮影画像を第一の方向に式１で得られる第一の拡縮率で拡縮し、前記他の撮影画像を前記第一の方向と直交する第二の方向に式２で得られる第二の拡縮率で拡縮するよう構成してもよい。
【数１】
2019028350.tif 000023
【手続補正１２】
【補正対象書類名】明細書
【補正対象項目名】００４５
【補正方法】変更
【補正の内容】
【００４５】
上述した手法では、撮影画像２０(i)〜２０(iv)中の被写体画像２１の第一の方向のサイズＸ、当該第一の方向と直交する方向である第二の方向のサイズＹを測定し、この測定結果に基づいて撮影画像２０(i)〜２０(iv)を拡縮したが、撮影条件から拡縮率を算出してもよい。
【手続補正１３】
【補正対象書類名】明細書
【補正対象項目名】００４９
【補正方法】変更
【補正の内容】
【００４９】
具体的には、地点ＰｏｉｎｔＰ（２）で撮影した際の撮影画像（他の画像）を第一の方向に下記の式１で得られる第一の拡縮率で拡縮し、かつ、第一の方向と直交する第二の方向に下記の式２で得られる第二の拡縮率で拡縮する。第一の方向は、移動体Ａの移動方向に直交する方向であり、第二の方向は、移動体Ａの移動方向である。
【数１】
2019028350.tif 000024